(57)【要約】【課題】所定の物体を保持することができる物体保持手段を分電盤の外側面に設け，壁面を傷つけずに，物体の保持が容易に確実に行え，しかも物体の取り外し時においても美観を損ねる恐れのない分電盤を提供すること。【解決手段】キャビネットの内部に，主開閉器と，該主開閉器に接続された母線と，該母線を介して接続され各分岐回路に電力を供給する分岐開閉器とを備えてなる分電盤において，分電盤外側面に物体保持手段を設けたことを特徴として分電盤を提供した。【選択図】      図１
2006034075.tif 000002
【特許請求の範囲】
【請求項１】
キャビネットの内部に，主開閉器と，該主開閉器に接続された母線と，該母線を介して接続され各分岐回路に電力を供給する分岐開閉器とを備えてなる分電盤において，分電盤外側面に物体保持手段を設けたことを特徴とする分電盤。
【請求項２】
前記物体保持手段は，物体を懸吊状態に保つフックであることを特徴とする請求項１記載の分電盤。
【請求項３】
前記フックは，キャビネットの外形から外側面に突出して設けられたことを特徴とする請求項２記載の分電盤。
【請求項４】
前記フックは，キャビネットの外形から露出せぬよう，外側面の一部を窪ませて形成した窪み部を設け，該窪み部にフックを備えてなることを特徴とする請求項２記載の分電盤。
【請求項５】
分電盤には前記フックの収容手段を設け，該フックの未使用時にはフックは分電盤のフック収容手段に収容され，使用時にはフック収容手段から分電盤の外側に引出して用いることを特徴とした請求項２記載の分電盤。
【請求項６】
前記窪み部に備えられたフックは，その端側に軸部を設け，窪み部には該軸部が嵌入される嵌入部を設け，該嵌入部に軸部を嵌入することにより回動自在に設け，フックの使用時には窪み部から外側に引き出して用いることを特徴とする請求項２記載の分電盤。
【請求項７】
前記物体保持手段は，物体を嵌め入れる孔であることを特徴とする請求項１記載の分電盤。
【請求項８】
前記孔はその内部が袋状であり，該袋状の開口部が分電盤の外側面に設けられたことを特徴とする請求項７記載の分電盤。
【請求項９】
前記物体保持手段は，分電盤外側面に設けた，物体を引掛ける引掛け孔であることを特徴とする請求項１記載の分電盤。
【請求項１０】
前記物体保持手段は，物体を懸吊常態に保つ少なくともひとつのフックと，分電盤外側面に設けた，物体を引掛ける少なくともひとつの引掛け孔とを備えて構成され，該フックの端側を前記引掛け孔に嵌入して分電盤外側面にフックを設け，該フックに物体を懸吊することを特徴とする請求項２または請求項３または請求項４記載の分電盤。
【請求項１１】
前記物体保持手段は，物体を挟んで保持する挟み部を分電盤の外側面に設けて構成したことを特徴とする請求項１記載の分電盤。
【請求項１２】
前記物体保持手段は，磁性体からなる吸着部及び被吸着部とを備えて構成され，分電盤側に該吸着部もしくは被吸着部を設け，その上に他方の磁性体を重ねて配置することにより，吸着部と被吸着部との間に物体を挟んで保持することを特徴とする請求項１１記載の分電盤。
【請求項１３】
前記物体保持手段は，接着手段により分電盤に接着されて設けられたことを特徴とする請求項１記載の分電盤。
【請求項１４】
前記物体保持手段の一端側には，保持する物体が容易に外れないよう，かえし部を設けて構成されたことを特徴とする請求項１または請求項２または請求項３または請求項４または請求項５または請求項６または請求項１０または請求項１１または請求項１２記載の分電盤
【発明の詳細な説明】
【技術分野】
【０００１】
本発明は，分電盤の外側面において所定の物体を保持するための構造に関する。
【背景技術】
【０００２】
従来，分電盤とセットで用いる物体としては例えば，特許文献１に記載されたような電流表示装置があった。この電流表示装置は，一時的に電気器具を使用するその場所で確実に電気使用量や警報の情報を得られるようにして可能な限り住戸内の全停電を防止すること，
もし主幹ブレーカやリミッターが切れて全停電になりそうな場合は， その原因となる電気器具を電路から強制的に切り離して住戸内停電を防止すること， さらに万が一停電で周囲が暗闇になった場合安全や復旧操作をしやすくするような灯りが点灯する機能を有する装置を提供することなどを目的として構成されたものであり，その構成は，定格電流を超えると自動で電路を遮断するブレーカと併用し，
該ブレーカの定格電流に応じた監視電流を設定するとともにブレーカの通電電流を検出して該監視電流に対するブレーカの通電電流余裕の情報を表示する， 親機と子機からなる装置であって，
親機には通電電流検出部と信号処理部と無線送信部を備え， 子機には無線受信部と信号処理部と情報表示部を備えるとともに， 親機または子機には前記ブレーカの定格電流に応じた監視電流レベルを設定する手段と該監視電流レベルに対する使用電流の状態を演算する手段を有し，
子機の電源は子機に設けられたプラグを介して前記ブレーカの負荷側のコンセントから供給されるか， または電池から供給されて子機の場所を移動可能にしたことを特徴として提供されているものである。
【０００３】
前記電流表示装置における親機は，特許文献１の第００１４項に記載されているとおり，分電盤の内側に設置されてもよいし，分電盤の外側に設置されてもよい構造となっている。従来はこの親機を分電盤の外側に設置する場合には，分電盤が取付けられている場所付近の壁面に直接取り付けて用いていた。
【０００４】
【特許文献１】特開２００４−１７０２７６号公報  （第００１４項）
【発明の開示】
【発明が解決しようとする課題】
【０００５】
しかしながら，分電盤とセットで用いる物体，即ち対象物を壁面に直接取り付けて用いる場合，壁面への取り付け作業が新たに発生し，そのため分電盤を取り付ける作業工程に加えて，該対象物を取り付ける作業工程が余計にかかり，取り付け作業が煩雑になるという課題があった。
【０００６】
また，分電盤とセットで用いる物体，即ち対象物を壁面に取り付ける際には，壁面への固定を行うために，ねじ止めを行ったり，対象物の取り付け金具やアタッチメントを壁面に固定するために，ねじ止めや穴あけ作業が生じ，そのため壁面を傷つけてしまい，対象物を取り外す場合には，壁面のねじ止めや穴あけによる傷が露出し，美観を損ねてしまう恐れがあるという課題があった。
【０００７】
そこで本件の発明は，所定の物体を保持することができる物体保持手段を分電盤の外側面に設け，壁面を傷つけずに，物体の保持が容易に確実に行え，しかも物体の取り外し時においても美観を損ねる恐れのない分電盤を提供することを目的とするものである。
【課題を解決するための手段】
【０００８】
以上のような課題を解決するために，第一の課題解決手段においては，キャビネットの内部に，主開閉器と，該主開閉器に接続された母線と，該母線を介して接続され各分岐回路に電力を供給する分岐開閉器とを備えてなる分電盤において，分電盤外側面に物体保持手段を設けたことを特徴として分電盤を提供したものである。
【０００９】
これにより，分電盤外側面に物体保持手段を設けたため，所定の物体を該保持手段に保持させるだけでよく，従来のように煩雑な取り付け工事が不要で，なおかつ壁面を傷つけずに物体を保持することが可能となるものである。
【００１０】
また，第二の課題解決手段は，前記物体保持手段を，物体を懸吊状態に保つフックであることを特徴として第一の課題解決手段である分電盤を提供したものである。
【００１１】
これにより，物体を懸吊状態に保つフックであることを特徴としたため，第一の課題解決手段の効果に加えて，所定の物体をフックに引掛けることにより至って容易な作業で保持が可能となるものである。
【００１２】
また，第三の課題解決手段は，前記フックを，キャビネットの外形から外側面に突出して設けられたことを特徴と
して第二の課題解決手段である分電盤を提供したものである。
【００１３】
これにより，キャビネットの外形から外側面に突出して設けられたことを特徴としたため，第二の課題解決手段の効果に加えて，所定の物体をフックにより引掛け易くなることが可能となるものである。
【００１４】
また，第四の課題解決手段は，前記フックを，キャビネットの外形から露出せぬよう，外側面の一部を窪ませて形成した窪み部を設け，該窪み部にフックを備えてなることを特徴として第二の課題解決手段である分電盤を提供したものである。
【００１５】
これにより，窪み部にフックを備えてなることを特徴としたため，第二の課題解決手段の効果に加えて，分電盤の外形からフックが露出しないことから分電盤の美観を損ねにくく，さらに分電盤の周りにスペースの余裕がない場合にも物体を容易に取り付けることが可能となるものである。
【００１６】
また，第五の課題解決手段は，分電盤には前記フックの収容手段を設け，該フックの未使用時にはフックは分電盤のフック収容手段に収容され，使用時にはフック収容手段から分電盤の外側に引出して用いることを特徴として第二の課題解決手段である分電盤を提供したものである。
【００１７】
これにより，使用時にはフック収容手段から分電盤の外側に引出して用いることを特徴としたため，第二の課題解決手段の効果に加えて，フックの未使用時には，分電盤に収容しておくことで美観を損ねにくく，使用時には容易に所定の物体を引掛けることが可能となるものである。
【００１８】
また，第六の課題解決手段は，前記窪み部に備えられたフックを，その端側に軸部を設け，窪み部には該軸部が嵌入される嵌入部を設け，該嵌入部に軸部を嵌入することにより回動自在に設け，フックの使用時には窪み部から外側に引き出して用いることを特徴として第二の課題解決手段である分電盤を提供したものである。
【００１９】
これにより，フックを回動自在に設け，フックの使用時には窪み部から外側に引き出して用いることを特徴としたため，第二の課題解決手段の効果に加えて，フックの使用時には窪み部から引き出すことにより容易に物体を引掛けられ，その後は窪み部にフックを戻すことにより，分電盤からフックが露出せず，分電盤の美観を損ねにくく物体の保持が可能となるものである。
【００２０】
また，第七の課題解決手段は，前記物体保持手段を，物体を嵌め入れる孔であることを特徴として第一の課題解決手段である分電盤を提供したものである。
【００２１】
これにより，物体を嵌め入れる孔であることを特徴としたため，第一の課題解決手段の効果に加えて，孔に物を嵌め入れるだけで保持が可能となるものである。
【００２２】
また，第八の課題解決手段は，前記孔はその内部が袋状であり，該袋状の開口部が分電盤の外側面に設けられたことを特徴として第七の課題解決手段である分電盤を提供したものである。
【００２３】
これにより，孔はその内部が袋状であり，該袋状の開口部が分電盤の外側面に設けられたことを特徴としたため，第七の課題解決手段の効果に加えて，嵌め入れた物体が分電盤の内側に入り込んでしまう恐れがなく物体の保持が可能となるものである。
【００２４】
また，第九の課題解決手段は，前記物体保持手段を，分電盤外側面に設けた，物体を引掛ける引掛け孔であることを特徴として第一の課題解決手段である分電盤を提供したものである。
【００２５】
これにより，分電盤外側面に設けた，物体を引掛ける引掛け孔であることを特徴としたため，第一の課題解決手段の効果に加えて，物体を引掛け孔に引掛けるだけでよく，物体を保持する作業を非常に簡易に行うことが可能となるものである。
【００２６】
また，第十の課題解決手段は，前記物体保持手段を，物体を懸吊常態に保つ少なくともひとつのフックと，分電盤外側面に設けた，物体を引掛ける少なくともひとつの引掛け孔とを備えて構成し，該フックの端側を前記引掛け孔に嵌入して分電盤外側面にフックを設け，該フックに物体を懸吊することを特徴として第二の課題解決手段または第三の課題解決手段または第四の課題解決手段である分電盤を提供したものである。
【００２７】
これにより，フックの端側を前記引掛け孔に嵌入して分電盤外側面にフックを設け，該フックに物体を懸吊することを特徴としたため，第二の課題解決手段または第三の課題解決手段または第四の課題解決手段の効果に加えて，保持される物体に適したフックを所定の物体をフックに引掛けることにより至って容易な作業で保持が可能となるものである。また，複数のフックと引掛け孔を用いることにより複数の物体の保持が可能となるものである。
【００２８】
また，第十一の課題解決手段は，前記物体保持手段を，物体を挟んで保持する挟み部を分電盤の外側面に設けて構成したことを特徴として第一の課題解決手段である分電盤を提供したものである。
【００２９】
これにより，物体を挟んで保持する挟み部を分電盤の外側面に設けて構成したことを特徴としたため，第一の課題解決手段の効果に加えて，物体の保持にあたり，引掛けることや嵌め入れが困難な物体においても，挟むことにより保持することが可能となるものである。
【００３０】
また，第十二の課題解決手段は，前記物体保持手段を，磁性体からなる吸着部及び被吸着部とを備えて構成され，分電盤側に該吸着部もしくは被吸着部を設け，その上に他方の磁性体を重ねて配置することにより，吸着部と被吸着部との間に物体を挟んで保持することを特徴として第十一の課題解決手段である分電盤を提供したものである。
【００３１】
これにより，吸着部と被吸着部との間に物体を挟んで保持することを特徴としたため，第十一の課題解決手段の効果に加えて，保持手段を既存の分電盤においても後付けが可能で，簡易に所定の物体の保持が可能となるものである。
【００３２】
また，第十三の課題解決手段は，前記物体保持手段を，接着手段により分電盤に接着されて設けられたことを特徴として第一の課題解決手段である分電盤を提供したものである。
【００３３】
これにより，フックを分電盤に接着されて設けられたことを特徴としたため，第一の課題解決手段の効果に加えて，保持手段を既存の分電盤においても後付が可能で，保持手段を設ける位置を選ばずに所定の物体の保持が可能となるものである。
【００３４】
また，第十四の課題解決手段は，前記物体保持手段の一端側に，保持する物体が容易に外れないよう，かえし部を設けて構成したことを特徴として第一の課題解決手段または第二の課題解決手段または第三の課題解決手段または第四の課題解決手段または第五の課題解決手段または第六の課題解決手段または第十の課題解決手段または第十一の課題解決手段または第十二の課題解決手段である分電盤を提供したものである。
【００３５】
これにより，物体保持手段の一端側には，保持する物体が容易に外れないよう，かえし部を設けて構成されたことを特徴としたため，第一の課題解決手段または第二の課題解決手段または第三の課題解決手段または第四の課題解決手段または第五の課題解決手段または第六の課題解決手段または第十の課題解決手段または第十一の課題解決手段または第十二の課題解決手段の効果に加えて，物体の保持はより確実に行え，保持する場合には容易に保持でき，物体を取り外す場合にはかえしがあるために，容易には外れず，保持した物体が紛失する心配がなく物体の保持が可能となるものである。
【発明の効果】
【００３６】
本発明によれば，所定の物体を保持することができる物体保持手段を分電盤の外側面に設け，壁面を傷つけずに，物体の保持が容易に確実に行え，しかも物体の取り外し時においても美観を損ねる恐れのない分電盤を提供することができる。
【実施例１】
【００３７】
次に，本発明に係る分電盤の実施の形態について図面を用いて説明する。
【００３８】
図１は本発明に係る分電盤の第一の実施の形態を示した図である。分電盤１００は，キャビネット１０１の内部に主開閉器１０２と，該主開閉器１０２に電気的に接続され充電部が露出しないよう樹脂部材で覆われた母線１０５と，該母線１０５を介して接続され各分岐回路に電力を供給する分岐開閉器１０３と，物体保護手段１０４を備えて構成された分電盤である。
【００３９】
キャビネット１０１は，ボックス１０１０とカバー１０１１と中底１０１２とを備えて構成される。ボックス１０１０は，分電盤の上下左右の側面及び背面を覆う壁を形成するものである。中底１０１２は，主開閉器１０２や母線１０５や分岐開閉器１０３などの内部機器を取り付ける取り付け板であり，該内部機器は，この中底１０１２に取り付けられた状態で一体のものとしてボックス１０１０に載設される。
【００４０】
カバー１０１１は，ボックス１０１０と組み合わされ，カバーを取り外すことなく前記主開閉器１０２や分岐開閉器１０３の開閉操作ができるよう，分電盤の前面全体を覆うように構成されたものである。
【００４１】
物体保持手段１０４は前記分電盤１００の外側面に設けられている。
図２は分電盤１００の物体保持手段１０４付近の拡大図を示したものである。本実施例では，物体保持手段１０４はフック，即ち鉤状の形をした樹脂にて構成されている。物体保持手段１０４はボックス１０１０と一体成型されており，分電盤の側面に突出して設けられている。所定の物体を保持する場合には，分電盤の側面に設けられたフックに物体を引掛けることにより，物体を懸吊状態に保持することが可能である。
【００４２】
また，図３（ａ）（ｂ）は，分電盤１００を側面から見た図で，下面背面部分にフックを設けた例を示している。この図に示したように，分電盤１００の下面背面部分に，フック，即ち鉤状の形をした樹脂を設けてボックス１０１０を構成してもよい。物体を保持する場合は，図３（ａ）の場合には，分電盤の前面に向かう方向から所定の物体をフックに引掛けて懸吊状態に保持する。この場合，前面から物体を引掛けるために物体を引掛け易く，取り外しもし易く保持することが可能である。図３（ｂ）の場合には，分電盤の背面から前面に向かう方向に物体を引掛けるために，図３（ａ）に比べて，物体を引掛けにくくなるものの，一旦引掛けると，例えば物体を前面側に引っ張っても外れにくく，効果的に保持が行える。
【００４３】
図２４，図２５（ａ）及び図２５（ｂ）には，第一の実施の形態の変形例を示している。この変形例においては，物体保持手段１０４の一端側にかえし部１０４ａを設けて，略囲い状に成型されている。物体保持手段１０４は樹脂で構成されているため適度に弾力性があり，物体を引掛ける場合には，物体保持手段１０４が分電盤の外側の方向に撓んで広がり，略囲いの内側に物体が滑り込むように入り込む。一旦，略囲いの内側に入り込んだ物体はかえしがあるために容易には外れることがなく，確実に保持できるとともに長期間経過した場合も紛失する恐れがない。
【００４４】
所定の物体は，壁面ではなく分電盤１００に保持されるため，取り付けに当たって壁面を傷つけることがなく，また，保持はフックに引掛けるだけで行えるため，作業は至って容易に行える。また，図３において，実施の形態の変形例として，分電盤１００の幅方向，即ち分岐開閉器の並設方向にフックの幅を大きく設けることにより，物体を懸吊状態に保持するだけでなく，分電盤の下面とフックの内側の面との間に物体を差し込んで保持させてもよい。
【実施例２】
【００４５】
図４は本発明に係る分電盤の第二の実施の形態を示した図であり，物体保持手段１０４の付近の拡大図を示したものである。内部機器の構成は第一の実施の形態と同様であるので説明は省略する。分電盤のキャビネットを形成するボックス１０１０には，側面の一部を窪ませて形成された窪み部１０１１ａが設けられており，該窪み部１０１１ａの下方には，フック１０４１が設けられている。フック１０４１は樹脂によりボックス１０１０と一体にて成型されている。フック１０４１の形状は棒状であり，窪み部１０１１ａの下方から立ち上がるように突出している。物体を保持する場合には，この棒状のフック１０４１に引掛けることにより，物体を懸吊状態に保持することが可能である。
【００４６】
図５は，第二の実施の形態の変形例を示したものである。この変形例は，窪み部１０１１ａの上方に軸受け部１０１１ｂを設け，該軸受け部１０１１ｂにより一端側が軸支された状態に配置され，他端側が棒状のフック１０４１に架設されるように可動片１０４２が設けられたものである。軸受け部には，ばね部材が設けられており（図示しない），図５中，可動片１０４２は常に左方向に付勢され，棒状のフック１０４１と当接してそれ以上左方向には回動しないように構成されている。即ち，可動片１０４２は，図５に示された位置から分電盤の内側でのみ回動を行う。
【００４７】
所定の物体を保持する場合には，可動片１０４２を内側に押し込むようにして物体を棒状のフック１０４１に引掛けるように保持する。物体が一旦保持されると，物体を分電盤の外側方向に向かって引っ張っても可動片はフック１０４１と当接するため物体は外れることがなく保持を確実に行うことが可能である。物体を外す場合には，可動片１０４２を内側に押し込み，フック１０４１と可動片１０４２の隙間から物体を外す。
【００４８】
この他，図６に示したように，窪み部１０１１ａの上方に鉤状の形状をしたフック１０４３を一体に設けて，分電盤の側面から物体を引掛けるように用いてもよい。また，図７，図８に示したように，フックを複数個設けて分電盤を構成してもよい。図７はカバーを取り外した上体の分電盤の前面方向から見た図を示しており，窪み部１０１１ａを左右２箇所に設けて，分電盤の両側から物体を引掛けて保持できるようにした例を示している。図８は分電盤の背面から見た図を示しており，略中央付近下方にフックが３個設けた例を示している。
【００４９】
さらに，図２６に示したように，物体保持手段であるフック１０４１の一端側にかえし部１０４１ａを設けて，略囲い状に成型してもよい。フック１０４１は樹脂で構成されているため適度に弾力性があり，物体を引掛ける場合には，フック１０４１が分電盤の外側の方向に撓んで広がり，略囲いの内側に物体が滑り込むように入り込む。一旦，略囲いの内側に入り込んだ物体はかえしがあるために容易には外れることがなく，確実に保持できるとともに長期間経過した場合も紛失する恐れがない。
【実施例３】
【００５０】
図９は本発明に係る分電盤の第三の実施の形態を示した図であり，物体保持手段１０４の付近の拡大図を示したものである。内部機器の構成は第一の実施の形態と同様であるので説明は省略する。分電盤のキャビネットを形成するボックス１０１０には，側面の一部を凹形状としたフック収容部１０１１ｃを設けている。このフック収容部１０１１ｃの下方には，軸受け部１０１１ｄが設けられ，該軸受け部１０１１ｄによりフック１０４４は一端側が軸支された状態に配置される。フック１０４４は図９（ａ）で示した位置から図９（ｂ）で示した位置，即ち分電盤の外側の方向に引き出すようにして用いる。物体を保持させるときは，図９（ａ）で示された位置からフック１０４４を引き出して，物体を引掛ける。フックを使用しないときには，収容部１０１１ｃに収容しておけるため，分電盤の外形から突出せず，美観を損ねることがない。
【００５１】
図１０は，第三の実施の形態の変形例を示したものである。ボックス１０１０には，収容部１０１１ｄが形成され，該収容部の開口部付近には突起１０１１ｅが設けられている。フック１０４５は収容部に差し込まれるように配置され，フック１０４５の一端側は突起１０１１ｄと当接するように，凸部１０４５ａ１が設けられている。フックはその未使用時には収容部１０１１ｄに収容されており，使用時に分電盤の外側に引き出して用いる。フックの他端側には，物体を引掛けられるように突起１０４５ａ２が設けられており，引掛けた物体が滑り落ちないように保持することが可能である。
【実施例４】
【００５２】
図１１は，第四の実施の形態の形態を示した図であり，物体保持手段１０４の付近の拡大図を示したものである。内部機器の構成は第一の実施の形態と同様であるので説明は省略する。分電盤のキャビネットを形成するボックス１０１０には，側面の一部を窪ませて形成された窪み部１０１１ｆが設けられており，窪み部１０１１ｆの上方に軸受け部１０１１ｇを設け，該軸受け部１０１１ｇにより一端側が軸支された状態に配置された鉤状のフック１０４６を備えている。フック１０４６は図１１に示した状態から分電盤の外側に引き出して用いる。
【００５３】
軸受け部１０１１ｇには，ばね部材が設けて構成してもよく，（図示しない），図１１中，フック１０４６を常に右方向に付勢して，フック１０４６を使用しないときには，窪み部１０１１ｆに収容されるように構成してもよい。フック１０４６はその未使用時には分電盤の外形から露出しないため，美観を損ねることがない。
【実施例５】
【００５４】
図１２は本発明に係る第五の実施の形態を示した図であり，物体保持手段１０４の付近の拡大図を示したものである。内部機器の構成は第一の実施の形態と同様であるので説明は省略する。分電盤のキャビネットを形成するボックス１０１０には，側面の一部に孔１０１１ｈが設けられている。該孔１０１１ｈは所定の物体が差し込まれる程度に開口されており，物体を孔に嵌め入れるようにして用いる。ボックス１０１０の孔１０１１ｈの周囲には，リブが設けられ，物体を保持するために強度を得られるようにしている。
【実施例６】
【００５５】
図１３は本発明に係る第六の実施の形態を示した図であり，物体保持手段１０４の付近の拡大図を示したものである。内部機器の構成は第一の実施の形態と同様であるので説明は省略する。分電盤のキャビネットを形成するボックス１０１０には，側面の一部に袋状の孔１０１１ｉが設けられている。この袋状の孔１０１１ｉはボックス１０１０と樹脂にて一体成型されている。袋の開口部は分電盤の外側面に臨んで設けられており，物体を袋の中に入れることが可能である。袋状の孔は，ボックスと一体成型ではなく，別部材で構成して，分電盤の側面に設けられた開口部に臨んでボックスの内側に取り付けて備えてもよい。
【実施例７】
【００５６】
図１４は本発明に係る第七の実施の形態を示した図であり，物体保持手段１０４の付近の拡大図を示したものである。内部機器の構成は第一の実施の形態と同様であるので説明は省略する。分電盤のキャビネットを形成するボックス１０１０には，側面の一部に引掛け孔１０１１ｊが設けられている。この引掛け孔１０１１ｊには物体が直接引掛けられる。物体には引掛け部が設けられており，該引掛け部を引掛け孔１０１１ｊに引掛けて用いる。
【実施例８】
【００５７】
図１５は本発明に係る第八の実施の形態を示した図であり，物体保持手段１０４の付近の拡大図を示したものである。内部機器の構成は第一の実施の形態と同様であるので説明は省略する。分電盤のキャビネットを形成するボックス１０１０には，側面の一部にフック１０４７を引掛けるための孔１０１１ｋが設けられている。フック１０４７はその一端側が孔１０１１ｋに引掛けられるように略コの字型をしており，孔１０１１ｋに引掛けて用いる。フック１０４７の他端側は鉤状のフック形状となっており，物体を懸吊状態に引掛ける。フックや孔は複数設けて，物体に応じて適したフックを使用するように設ける。
【実施例９】
【００５８】
図１６は本発明に係る第九の実施の形態を示した図であり，物体保持手段１０４の付近の拡大図を示したものである。内部機器の構成は第一の実施の形態と同様であるので説明は省略する。分電盤のキャビネットを形成するボックス１０１０には，側面の一部に挟み部１０４８が設けられている。挟み部１０４８は樹脂にてボックス１０１０と一体成型されている。挟み部１０４８は弾力性を持っており，ボックス１０１０の側面から外側に一旦延出し，略Ｓの字に設けられている。ボックス１０１０と挟み部１０４８との当接する位置で物体を挟み保持する。挟む物体は厚さがあまり厚くないものが好ましい。
【００５９】
また，挟み部にかえし部を設けることにより挟み部を略囲い状に形成してもよい。物体を挟んで保持する場合には，物体保持手段である挟み部１０４８が分電盤の外側の方向に撓んで広がり，略囲いの内側に物体が滑り込むように入り込む。一旦，略囲いの内側に入り込んだ物体はかえしがあるために容易には外れることがなく，確実に保持できるとともに長期間経過した場合も紛失する恐れがない。
【００６０】
図１７は本発明に係る第九の実施の形態の変形例を示した図であり，物体保持手段１０４の付近の拡大図を示したものである。第一の実施形態は挟み部はボックスと一体にて成型されていたが，変形例では，別部材で構成されている。本変形例では，台部１０４９ａがボックス１０１０に取り付けられ，台部１０４９ａと挟み部１０４９は軸部１０４９ｂで結合されている。挟み部１０４９は略への字をしており，屈曲した部分に軸部１０４９ｂとばね（図示しない）が設けられ，挟み部１０４９のａの部分を常に台部１０４９ａの方向に付勢している。物体はばねの力で挟まれて保持される。挟む物体は厚さがあまり厚くないものが好ましい。
【実施例１０】
【００６１】
図１８は本発明に係る分電盤の第十の実施の形態を示した図であり，物体保持手段１０４の付近の拡大図を示したものである。内部機器の構成は第一の実施の形態と同様であるので説明は省略する。分電盤のキャビネットを形成するボックス１０１０には，側面の内側に吸着部１０５１が取り付けられている。該吸着部１０５１はボックス１０１０の内側に設けられた取り付け部１０１１ｍにはめ込む形で取り付けられている。吸着部１０５１は磁性体で構成されており，本実施例では鉄板を用いている。ボックス１０１０の外側面には被吸着部１０５０を設けている。該被吸着部１０５０は磁石により構成されており，吸着部１０５１にボックスを挟んで吸着する。物体はこれらの吸着部１０５１と被吸着部１０５０の間に挟まれて保持される。磁石の強さにも依存するが，物体はあまり厚くないほうが好ましい。
【００６２】
図１９は本発明に係る分電盤の第十の実施の形態の変形例を示した図であり，物体保持手段１０４の付近の拡大図を示したものである。分電盤のキャビネットを形成するボックス１０１０には，側面の外側に吸着部１０５３が取り付けられている。吸着部１０５３は磁性体で構成されており，本実施例では鉄板を用いている。磁石で構成された被吸着部１０５２を吸着部１０５３に吸着させることにより，物体を挟んで保持する。先の第十一の実施の形態と比べて，ボックス１０１０の厚さ分，磁石と磁性体の間隔が狭くなり，磁力をより有効に利用でき，磁石の強さが同一の場合，物体を強く保持することが可能となる。尚，物体はあまり厚くないほうが好ましい。
【実施例１１】
【００６３】
図２０は本発明に係る分電盤の第十一の実施の形態を示した図であり，物体保持手段１０４の付近の拡大図を示したものである。内部機器の構成は第一の実施の形態と同様であるので説明は省略する。分電盤のキャビネットを形成するボックス１０１０には，側面に鉤状のフック１０５４がボックスと接着されて設けられている。接着手段１０１１ｎは両面テープでもよいし，接着剤を用いてもよい。物体を保持する場合には，物体をフック１０５４に引掛けて保持する。
【００６４】
図２１は本発明に係る分電盤の第十一の実施の形態の変形例を示した図であり，物体保持手段１０４の付近の拡大図を示したものである。分電盤のキャビネットを形成するボックス１０１０には，側面に，一端が開口した筒状の保持部１０５５をボックスと接着して設けている。接着手段１０１１ｏは両面テープでもよいし，接着剤を用いてもよい。物体を保持する場合には，物体を筒状の保持手段１０５５差し込んで保持する。
【００６５】
図２２は本発明に係る分電盤の第十一の実施の形態のその他の変形例を示した図であり，物体保持手段１０４の付近の拡大図を示したものである。分電盤のキャビネットを形成するボックス１０１０には，側面に，図１６に示した挟み部と同形状の保持部１０５６を設けて，ボックスと接着して設けている。接着手段１０１１ｐは両面テープでもよいし，接着剤を用いてもよい。物体を保持する場合には，物体を図２２中下側の方向から差し込むようにして保持する。
【００６６】
以上のように示した実施の形態は，図２３（ａ），図２３（ｂ）に示したように，扉１０１３が設けられた分電盤に適用することも可能である。また保持する物体は従来例に挙げた電流表示装置等などの分電盤の付属機器に加えて，分電盤に付属させる工具や，部品，その他保証書や，覚え書きなどの書類を物体保持手段に保持させるように用いることが可能である。
【００６７】
また，ボックス１０１０に保持手段を用いた例を示したが，カバー１０１１や扉１０１２に保持手段を設けるように分電盤を構成して提供してもよい。さらに，物体保持手段は分電盤の側面や背面の下方に設けた例を示したが，その他分電盤の前面や，上面に物体保持手段を設けて分電盤を構成してもよい。
【００６８】
また，物体保持手段はボックスとの一体成型や，軸支，接着による取り付けの他，分電盤へのねじ止めや嵌め込みにより取り付けを行って設けてもよい。また，軸支の方向は分電盤の前面から背面への方向であるが，その他分電盤に設けられる主開閉器の電源−負荷側の方向に軸を設けて，横方向に開く構造としてもよい。物体保持手段は本実施例に限定されるものではなく，本発明の主旨を逸脱しない範囲において適宜に変更が可能である。
【００６９】
このように所定の物体を保持することができる物体保持手段を分電盤の外側面に設け，壁面を傷つけずに，物体の保持が容易に行え，しかも物体の取り外し時においても美観を損ねる恐れのない分電盤を提供することが可能である。
【産業上の利用可能性】
【００７０】
本発明における物体保持手段を設けた分電盤においては，外側面に物体保持手段を設けたが，例えば大型の配電盤等，内側にスペースの余裕がある配電盤等においては，内側に物体保持手段を設けて構成することで，所定の物体を配電盤の外側に露出させることなく保持することができる可能性がある。
【図面の簡単な説明】
【００７１】
【図１】第一の実施形態を示す図。
【図２】第一の実施形態の拡大図。
【図３】第一の実施形態の変形例。
【図４】第二の実施形態を示す図。
【図５】第二の実施形態の変形例。
【図６】第二の実施形態の変形例。
【図７】第二の実施形態の変形例。
【図８】第二の実施形態の変形例。
【図９】第三の実施形態を示す図。
【図１０】第三の実施形態の変形例。
【図１１】第四の実施形態を示す図。
【図１２】第五の実施形態を示す図。
【図１３】第六の実施形態を示す図。
【図１４】第七の実施形態を示す図。
【図１５】第八の実施形態を示す図。
【図１６】第九の実施形態を示す図。
【図１７】第九の実施形態の変形例。
【図１８】第十の実施形態を示す図。
【図１９】第十の実施形態の変形例。
【図２０】第十一の実施形態を示す図。
【図２１】第十一の実施形態の変形例。
【図２２】第十一の実施形態の変形例。
【図２３】本発明の変形例。
【図２４】第一の実施形態の変形例。
【図２５】第一の実施形態の変形例。
【図２６】第二の実施形態の変形例。
【符号の説明】
【００７２】
１００  分電盤
１０１  キャビネット
１０１０  ボックス
１０１１  カバー
１０１１ａ  窪み部
１０１１ｂ  軸受け部
１０１１ｃ  収容部
１０１１ｄ  軸受け部
１０１１ｅ  突起
１０１１ｆ  窪み部
１０１１ｇ  軸受け部
１０１１ｈ  孔
１０１１ｉ  袋状の孔
１０１１ｊ  引掛け孔
１０１１ｋ  引掛け孔
１０１１ｍ  取り付け部
１０１１ｎ  接着手段
１０１１ｏ  接着手段
１０１１ｐ  接着手段
１０１２  中底
１０１３  扉
１０２  主開閉器
１０３  分岐開閉器
１０４  物体保持手段
１０５  母線
１０４１  フック
１０４２  可動片
１０４３  フック
１０４４  フック
１０４５ａ  当接部
１０４５ａ１  凸部
１０４６  フック
１０４７  フック
１０４８  挟み部
１０４９  挟み部
１０４９ａ  台部
１０４９ｂ  軸受け部
１０５０  被吸着部
１０５１  吸着部
１０５４  フック
１０５５  筒状の保持部
１０５６  フック
【図１】
2006034075.tif 000003
【図２】
2006034075.tif 000004
【図３】
2006034075.tif 000005
【図４】
2006034075.tif 000006
【図５】
2006034075.tif 000007
【図６】
2006034075.tif 000008
【図７】
2006034075.tif 000009
【図８】
2006034075.tif 000010
【図９】
2006034075.tif 000011
【図１０】
2006034075.tif 000012
【図１１】
2006034075.tif 000013
【図１２】
2006034075.tif 000014
【図１３】
2006034075.tif 000015
【図１４】
2006034075.tif 000016
【図１５】
2006034075.tif 000017
【図１６】
2006034075.tif 000018
【図１７】
2006034075.tif 000019
【図１８】
2006034075.tif 000020
【図１９】
2006034075.tif 000021
【図２０】
2006034075.tif 000022
【図２１】
2006034075.tif 000023
【図２２】
2006034075.tif 000024
【図２３】
2006034075.tif 000025
【図２４】
2006034075.tif 000026
【図２５】
2006034075.tif 000027
【図２６】
2006034075.tif 000028